(57)【要約】【課題】ディスプレイの輝度の変動を測定して、それに応じて適切な補正を行うようにしたディスプレイの均一性補正方法を提供すること。【解決手段】デジカメ等を用いるディスプレイの均一性補正方法であって、輝度に対する均一性と階調特性とを最初に求め、次に前記ディスプレイのグレイレベル画像データに対する輝度特性を測定し、さらに前記ディスプレイに、その表示画面を複数の領域（例えば、複数ブロックに分割したブロックマーカ）を含むテストパターンを表示し、このテストパターンを前記デジカメを用いて撮影し、撮影したデジカメ画像データの均一性を補正した上で、これを用いて前記複数の領域毎のデジカメの出力の平均値を求め、さらに、これらの比率と、前記ディスプレイのグレイレベル画像データに対する輝度特性とから画像データに対する補正を行うことを特徴とする方法。【選択図】図２
2004364021.tif 000002
【特許請求の範囲】
【請求項１】
二次元固体センサおよび結像光学系を有する撮像（撮影）手段を用いるディスプレイ・モニタの均一性補正方法であって、
前記撮像（撮影）手段の固体センサの所定の領域における、入力輝度とそれに対する階調特性との関係を測定するステップと、
前記撮像（撮影）手段における所定の入力輝度に対する各画素均一性を測定するステップと、
前記ディスプレイ・モニタ上の所定領域のグレイレベル画像データに対する輝度特性を測定するステップと、
前記ディスプレイ・モニタに、所定の画像を表示し、表示した画像を前記撮像（撮影）手段を用いて撮影するステップと、
上記ステップで撮影した画像データを、当該撮像（撮影）手段における、前記入力輝度とそれに対する階調特性との関係に基づいて輝度値に変換するステップと、
上記ステップで求めた輝度値を、当該撮像（撮影）手段における前記各画素均一性に基づいて補正するステップと、
補正後の、前記ディスプレイ・モニタ上の任意の領域の輝度値に対する他の領域の輝度値の比率を、当該ディスプレイ・モニタの輝度均一性データとして求めるステップと、
前記ディスプレイ・モニタ上の所定領域のグレイレベル画像データに対する輝度特性と前記ディスプレイ・モニタの輝度均一性データとから、画像データに対する補正を行うステップと
を有することを特徴とするディスプレイ・モニタの均一性補正方法。
【請求項２】
二次元固体センサおよび結像光学系を有する撮像（撮影）手段を用いるディスプレイ・モニタの均一性補正方法であって、
前記撮像（撮影）手段の固体センサの所定の領域における、入力輝度とそれに対する階調特性との関係を測定するステップと、
前記撮像（撮影）手段における所定の入力輝度に対する各画素均一性を測定するステップと、
前記ディスプレイ・モニタのグレイレベル画像データに対する輝度特性を測定するステップと、
前記ディスプレイ・モニタに、その表示画面上における表示位置を特定するための、前記表示画面を複数のブロックに分割したブロックマーカを含むテストパターンを表示し、表示した前記テストパターンを前記撮像（撮影）手段を用いて撮影するステップと、
上記ステップで撮影した画像データを、当該撮像（撮影）手段における前記輝度に対する均一性に基づいて補正するステップと、
補正後の前記ディスプレイ・モニタの前記複数のブロック各々に対応する前記撮像（撮影）手段の出力の平均値を求めるステップと、
前記複数のブロック中の、中央のブロックに対応する前記出力の平均値に対する他の各ブロックに対応する前記出力の平均値の比率を求め、この比率を当該ディスプレイ・モニタの輝度均一性データとして求めるステップと、
前記ディスプレイ・モニタのグレイレベル画像データに対する輝度特性と前記ディスプレイ・モニタの輝度均一性データとから、画像データに対する補正を行うステップと
を有することを特徴とするディスプレイ・モニタの均一性補正方法。
【請求項３】
前記ブロックマーカが、前記ディスプレイ・モニタの表示画面の縦，横方向にそれぞれｍ個，ｎ個設定されており、かつ、ｍ≧５，ｎ≧５であることを特徴とする請求項２に記載のディスプレイ・モニタの均一性補正方法。
【請求項４】
前記ブロックマーカ内部に存在する各点について、補間により２次元配置されたデータ値を求め、このデータ値を用いて前記ディスプレイ・モニタの表示画面全体の補正を行うことを特徴とする請求項２または３に記載のディスプレイ・モニタの均一性補正方法。
【請求項５】
二次元固体センサおよび結像光学系を有する撮像（撮影）手段を用いるディスプレイ・モニタの均一性補正方法をコンピュータ制御により実行させるためのプログラムであって、
前記撮像（撮影）手段の固体センサの所定の領域における、入力輝度とそれに対する階調特性との対応データを受け付けて記憶するステップ（Ａ）と、
前記撮像（撮影）手段における所定の入力輝度に対する各画素均一性の対応データを受け付けて記憶するステップ（Ｂ）と、
ステップ（Ａ）とステップ（Ｂ）の関係から前記撮像（撮影）手段の各画素における均一性補正テーブルを算出し記憶するステップ（Ｃ）と、
前記ディスプレイ・モニタ上の所定領域における、入力画像データとそれに対する出力輝度特性との対応データを受け付けて記憶するステップ（Ｄ）と、
前記ディスプレイ・モニタに、所定の画像を表示するステップと、
前記撮像（撮影）手段により撮影された前記所定の画像のデータを受け付けて記憶するステップと、
ステップ（Ａ）で記憶した内容に基づいて、前記画像のデータを輝度データに変換するステップと、
ステップ（Ｃ）で記憶した内容に基づいて、前記輝度データに対して前記撮像（撮影）手段の各画素における均一性補正を行うステップと、
所定値の画像データを入力した際の、任意の領域の輝度に対する他の領域の輝度比を計算し、この比を当該他の位置のディスプレイ・モニタの輝度均一性補正値として記憶するステップ（Ｅ）と、
ステップ（Ｄ）で記憶した関係とステップ（Ｅ）で求めたデータとから、画像データの値を補正するステップと
を有することを特徴とするプログラム。
【請求項６】
二次元固体センサおよび結像光学系を有する撮像（撮影）手段を用いるディスプレイ・モニタの均一性補正方法をコンピュータ制御により実行させるためのプログラムであって、
前記撮像（撮影）手段の固体センサの所定の領域における、入力輝度とそれに対する階調特性との対応データを受け付けて記憶するステップ（Ａ）と、
前記撮像（撮影）手段における所定の入力輝度に対する各画素均一性の対応データを受け付けて記憶するステップ（Ｂ）と、
ステップ（Ａ）とステップ（Ｂ）の関係から前記撮像（撮影）手段の各画素における均一性補正テーブルを算出し記憶するステップ（Ｃ）と、
前記ディスプレイ・モニタにおける、入力画像データとそれに対する出力輝度特性との対応データを受け付けて記憶するステップ（Ｄ）と、
前記ディスプレイ・モニタに、その表示画面を複数のブロックに分割したブロックマーカを含むテストパターン画像を表示するステップと、
前記撮像（撮影）手段により撮影された前記テストパターン画像のデータを受け付けて記憶するステップと、
ステップ（Ａ）で記憶した内容に基づいて、前記画像のデータを輝度データに変換するステップと、
ステップ（Ｃ）で記憶した内容に基づいて、前記輝度データに対して前記撮像（撮影）手段の各画素における均一性補正を行うステップと、
前記複数のブロック各々に対応する輝度データの平均値を計算し記憶するステップと、
前記複数のブロック中の、中央のブロックに対応する前記輝度データの平均値に対する、他の各ブロックの前記輝度データの平均値の比を計算し、この比を当該他の位置のディスプレイ・モニタの輝度均一性補正値として記憶するステップ（Ｅ’）と、
ステップ（Ｄ）で記憶した関係とステップ（Ｅ’）で求めたデータとから、画像データの値を補正するステップと
を有することを特徴とするプログラム。
【請求項７】
前記ブロックマーカとして、前記ディスプレイ・モニタの表示画面の縦，横方向にそれぞれｍ個，ｎ個設定されており、かつ、ｍ≧５，ｎ≧５であるものを用いることを特徴とする請求項６に記載のプログラム。
【請求項８】
前記画像データの値を補正するステップにおいては、前記ブロックマーカ内部に存在する各点について、補間により２次元配置されたデータ値を求め、このデータ値を用いて前記ディスプレイ・モニタの表示画面全体の補正を行うことを特徴とする請求項６または７に記載のプログラム。
【発明の詳細な説明】
【０００１】
【発明の属する技術分野】
本発明はディスプレイ・モニタの均一性補正方法とそのプログラムに関し、より具体的には、ディスプレイ・モニタの実際の輝度の変動等を測定し、それに応じて適切な補正を行うようにしたディスプレイ・モニタの均一性補正方法、並びにこの方法をコンピュータのプログラム制御により実行するためのプログラムに関する。
【０００２】
【従来の技術】
Ｘ線診断装置，ＭＲＩ（磁気共鳴イメージング）診断装置，各種ＣＴ（コンピュータ断層撮影）装置などの医療用診断・計測装置で撮影された診断画像は、通常、Ｘ線フィルムや他のフィルム感光材料などの光透過性の画像記録フィルムに記録され、光透過性の画像として再生される。この診断画像が再生されたフィルムは、シャーカステンと呼ばれる観察用の装置にセットされて、背面から光を照射された状態で観察され、診断が行われる。
【０００３】
これに対し、近年では、上述の医療用診断・計測装置で撮影された診断画像を各種のディスプレイ・モニタ（以下、単にディスプレイともいう）に表示して、観察／診断すること（電子シャーカステン）が行われるようになってきている。この電子シャーカステンにおいて問題となるのは、ディスプレイ上の表示画像が正しく表示されない場合があることである。
【０００４】
この原因は、主として、ディスプレイにおける輝度の不均一性に起因するものである。すなわち、通常、ディスプレイにおいては、その中央部の輝度が最も高く、周辺部に行くに従って、輝度が低下するという傾向が見られるが、この差がある閾値を超える場合には、誤診の原因ともなり得ることになる。
【０００５】
従来は、このような状況に対処する方法として、ディスプレイがＣＲＴ（Ｃａｔｈｏｄｅ    Ｒａｙ    Ｔｕｂｅ  ）ディスプレイである場合には、電子ビーム電流をモニタして、その値を所定範囲内に制御する方法、また、ディスプレイがＬＣＤ（Ｌｉｑｕｉｄ  Ｃｒｙｓｔａｌ    Ｄｉｓｐｌａｙ）である場合には、複数の、冷陰極管やＬＥＤ（Ｌｉｇｈｔ    Ｅｍｉｔｔｉｎｇ  Ｄｉｏｄｅ）等のバックライトの駆動電流を制御する方法が用いられていた。
【０００６】
【発明が解決しようとする課題】
しかしながら、これらの方法においては、いずれも、均一化を測ろうとする輝度自体の測定を行ってはおらず、発光体もしくはそのドライバを制御してはいるが、実際の輝度自体は測定してはおらず、従って、正しい補正を行うことは難しい方法である。
【０００７】
すなわち、ＣＲＴディスプレイにおける蛍光体の劣化，ＬＣＤにおけるバックライトの劣化等が発生することは避けられず、これらの劣化が発生した場合においては、電流値と輝度との関係などが初期状態とは変化してくるので、このような方法でディスプレイの輝度の均一化を図ることはさらに困難になる。
【０００８】
本発明は、上記事情に鑑みてなされたもので、その目的とするところは、従来の技術における問題を解消し、種々の原因による、ディスプレイの輝度の変動を測定して、それに応じて適切な補正を行うようにしたディスプレイの均一性補正方法を提供することにある。
【０００９】
【課題を解決するための手段】
上記目的を達成するため、本発明に係る第１のディスプレイの均一性補正方法は、二次元固体センサおよび結像光学系を有する撮像（撮影）手段を用いるディスプレイ・モニタの均一性補正方法であって、前記撮像（撮影）手段の固体センサの所定の領域における、入力輝度とそれに対する階調特性との関係を測定するステップと、前記撮像（撮影）手段における所定の入力輝度に対する各画素均一性を測定するステップと、前記ディスプレイ・モニタ上の所定領域のグレイレベル画像データに対する輝度特性を測定するステップと、前記ディスプレイ・モニタに、所定の画像を表示し、表示した画像を前記撮像（撮影）手段を用いて撮影するステップと、上記ステップで撮影した画像データを、当該撮像（撮影）手段における、前記入力輝度とそれに対する階調特性との関係に基づいて輝度値に変換するステップと、上記ステップで求めた輝度値を、当該撮像（撮影）手段における前記各画素均一性に基づいて補正するステップと、補正後の、前記ディスプレイ・モニタ上の任意の領域の輝度値に対する他の領域の輝度値の比率を、当該ディスプレイ・モニタの輝度均一性データとして求めるステップと、前記ディスプレイ・モニタ上の所定領域のグレイレベル画像データに対する輝度特性と前記ディスプレイ・モニタの輝度均一性データとから、画像データに対する補正を行うステップとを有することを特徴とするものである。
【００１０】
また、本発明に係る第２のディスプレイの均一性補正方法は、二次元固体センサおよび結像光学系を有する撮像（撮影）手段を用いるディスプレイ・モニタの均一性補正方法であって、前記撮像（撮影）手段の固体センサの所定の領域における、入力輝度とそれに対する階調特性との関係を測定するステップと、前記撮像（撮影）手段における所定の入力輝度に対する各画素均一性を測定するステップと、前記ディスプレイ・モニタのグレイレベル画像データに対する輝度特性を測定するステップと、前記ディスプレイ・モニタに、その表示画面上における表示位置を特定するための、前記表示画面を複数のブロックに分割したブロックマーカを含むテストパターンを表示し、表示した前記テストパターンを前記撮像（撮影）手段を用いて撮影するステップと、上記ステップで撮影した画像データを、当該撮像（撮影）手段における前記輝度に対する均一性に基づいて補正するステップと、補正後の前記ディスプレイ・モニタの前記複数のブロック各々に対応する前記撮像（撮影）手段の出力の平均値を求めるステップと、前記複数のブロック中の、中央のブロックに対応する前記出力の平均値に対する他の各ブロックに対応する前記出力の平均値の比率を求め、この比率を当該ディスプレイ・モニタの輝度均一性データとして求めるステップと、前記ディスプレイ・モニタのグレイレベル画像データに対する輝度特性と前記ディスプレイ・モニタの輝度均一性データとから、画像データに対する補正を行うステップとを有することを特徴とするものである。
【００１１】
なお、本発明に係る第２のディスプレイの均一性補正方法においては、前記ブロックマーカが、前記ディスプレイ・モニタの表示画面の縦，横方向にそれぞれｍ個，ｎ個設定されており、かつ、ｍ≧５，ｎ≧５であることが好ましい。
【００１２】
また、本発明に係る第２のディスプレイの均一性補正方法においては、前記ブロックマーカ内部に存在する各点について、補間により２次元配置されたデータ値を求め、このデータ値を用いて前記ディスプレイ・モニタの表示画面全体の補正を行うことが好ましい。
【００１３】
ここで、上述の本発明に係る第１，第２のディスプレイの均一性補正方法は、これを、コンピュータのプログラム制御により実行することが可能であり、本発明の技術的範囲は、このようなプログラム（請求項５〜８参照）にも及ぶことはいうまでもない。
【００１４】
【発明の実施の形態】
以下、添付の図面に基づいて、本発明の実施の形態を詳細に説明する。なお、ここでは、ＣＲＴディスプレイを例に挙げて説明するが、本発明はこれに限られるものではなく、ＬＣＤについても全く同様に適用することが可能である。
【００１５】
また、ここでは、以下に説明する各動作を、パーソナルコンピュータ（いわゆる、パソコン、以下の説明では、単にコンピュータという）のプログラム制御により実行するものとして説明するが、本発明は必ずしも、これに限られるものではない。
【００１６】
本発明に係るディスプレイの均一性補正方法は、これを実行する時期についての限定は特になく、ディスプレイを新規に購入して設置した時点、あるいは、前回このような補正を行った時点から所定の日時が経過した時点等、適宜の時点で行ってよい。
【００１７】
本発明に係るディスプレイの均一性補正方法を実行する際には、まず、輝度に対する階調特性と均一性とが既知の、二次元固体センサおよび結像光学系を有する撮像（撮影）手段、例えば、デジタル・スチル・カメラ（ＤＳＣ，いわゆる、デジカメ、以下の説明では、このデジカメという略語を用いることにする）を用意する必要がある。
【００１８】
測定手段としてのデジカメが、新規購入等で、新規に導入されたものである場合には、これについて、輝度に対する階調特性の測定（図１のステップ１０）とデジカメの画素出力の均一性の測定（図１のステップ１２）を、以下に示すような手順により実行する。
【００１９】
まず、輝度に対する階調特性は、露出Ｅを段階的に変化させた際の、デジカメの出力値Ｘを求めることにより、図３に示すような形で得られる。露出Ｅは下記の式（１）で表わされるので、露出時間や絞り値を変化させることで、露出の段階的変化を行うようにすればよい。なお、式（１）からわかるように、露出の変動率と輝度の変動率は等価である。
【００２０】
【数１】
2004364021.tif 000003
【００２１】
例えば、図４に示すように、デジカメ４０の筐体４１内のＣＣＤ４２を、レンズ系４４を介して積分球（高度に均一な光源と考えてよい）４６に接続する。そして、デジカメ４０による撮影条件を調整して、複数の露出Ｅに対してデジカメ４０のＣＣＤ４２の中央部４２ａ（図５参照）の各画素出力値の平均値Ｘａｖｅ  を求める。なお、図３では、デジカメの階調を８ビットと仮定して示している。
【００２２】
次に、デジカメの各画素の均一性を求める。まず、同じく図４に示す状況下で、デジカメ４０による撮影条件（絞り，シャッター速度，撮影感度等）を、例えば、上述の平均値Ｘａｖｅ  が、８ビットの中央値に相当する１２７近傍となるように調整する。すなわち、ｔ，ｆ等のパラメータとして、上述のＸ＝１２７のときの値を用いる。この条件で撮影を行って、各画素における画素値ｘｉ  ，ｘｊ  ，……を求める。
【００２３】
そして、この撮影結果から、図３の関係を利用してそれ以外のＣＣＤ各部（各画素：ｉ，ｊ……）に対応する等価露出（Ｅｉ  ，Ｅｊ  ……）値を求め、また、デジカメ４０のＣＣＤ４２中央部分４２ａの等価露出の平均値Ｅａｖｅ  を求める。ここで、等価露出とは、各画素全てが図３の画素値−露出値の対応関係を持つと仮定して計算した場合の、仮想の露出値である。
積分球４６による実際の露出値は、各画素に対して均一と考えられるので、上述のＥａｖｅ  に対するＥｉ  ，Ｅｊ  ……が、デジカメ４０の各画素の出力の均一性を示すことになる。
【００２４】
すなわち、Ｅｉ  ／Ｅａｖｅ  ，Ｅｊ  ／Ｅａｖｅ  ，……が、デジカメ４０の出力の均一性を表わす数値となり、従って、この逆数、すなわち、Ｅａｖｅ  ／Ｅｉ  ，Ｅａｖｅ  ／Ｅｊ  ……が、各画素についての、不均一分を補正する補正係数となる。こうして求めた画素位置（ｉ，ｊ，……）と補正係数（Ｅａｖｅ  ／Ｅｉ  ，Ｅａｖｅ  ／Ｅｊ  ……）との対応関係は、テーブル化するなどして、適宜の記憶手段に記憶する。
以上が、デジカメの輝度に対する階調特性と均一性の求め方の例である。
【００２５】
次に、望遠輝度計等を用いて、均一性補正対象であるディスプレイの、グレイレベル画像データｚに対応する輝度測定を行う。ここでの測定は、後述する図１中のステップ１４で、先ほどのデジカメの場合と同様に、ディスプレイの中央部に種々のレベルのグレイ画像データを表示して、それぞれの表示に対応するディスプレイの輝度Ｌを求める方法で行う。
【００２６】
ここで求めたグレイレベル画像データｚとそれに対応する輝度値Ｌとの関係も、テーブル化するなどして、適宜の記憶手段に記憶する。
以上が、ディスプレイのグレイ画像データに対する輝度特性の求め方の例である。
【００２７】
上述の、いわば事前準備作業の全体的な動作を、図１に、動作フロー図として示した。図１中、ステップ１０は、デジカメの輝度に対する階調特性の測定を行うステップ、ステップ１２は、デジカメの画素出力の均一性の測定を行うステップ、ステップ１４は、均一性補正対象であるディスプレイのグレイレベル画像データに対応する輝度測定を行うステップを示している。
【００２８】
次に、図２に示す動作フロー図に基づいて、前述のデジカメ４０を用いての、均一性補正対象であるディスプレイの測定操作について説明する。なお、ここでは、ディスプレイの表示画面上に、図６に示すような画面全体を５×５＝２５個のエリア（ここでは、これを、ブロックマーカと呼ぶことにする）に分割するテストパターンを表示して、このブロックマーカ単位で測定を行うことにする。
【００２９】
このような、ブロックマーカを使用して測定を行う理由は、ディスプレイの均一性の測定においては、例えば、ＬＣＤにおける画素欠陥などに起因する細かなノイズ等に影響されないようにするためであり、元々、ここで測定対象としているディスプレイの均一性は、位置的にも急峻な変化をすることはない特性であるためでもある。
【００３０】
図２に戻って、説明を続ける。ステップ２０では、上述のようなテストパターンをディスプレイの表示画面上に表示し、ステップ２２では、このテストパターンを、前述のデジカメ４０で撮影する。この撮影では、テストパターン中の各ブロックマーカ（図６では、Ｇ１１    ，Ｇ１２，……，Ｇ５５）内の各デジカメ画素について輝度を測定することとなるが、このデータを利用する際には、後述するように、ブロックマーカ毎に平均して用いる。
【００３１】
すなわち、ステップ２２で求めたデジカメデータ（ｙｉ  ）は、次のステップ２４で、前述のステップ１０で求めたデジカメの階調特性（図３参照）により、露出（Ｅｉ  ）に変換された後、前述のステップ１２で求めたデジカメ画素出力の補正係数（Ｅａｖｅ  ／Ｅｉ  ）を用いて補正され、ステップ２６において、各ブロックマーカ毎に平均値（Ｅ１１，Ｅ１２，……，Ｅ５５）を算出する。
ここで、露出Ｅと輝度Ｌとは、式（１）の関係にあるため、上記露出（Ｅ１１，Ｅ１２，……，Ｅ５５）の分布を求めることは、そのまま、輝度Ｌ１１，Ｌ１２，……，Ｌ５５の分布を求めることと等価となる。
【００３２】
ステップ２８では、多くの場合、中央部が輝度が高いという経験則に基づいて、中央以外の各ブロックマーカの、中央部に対する輝度均一性の比率（ｋ）を求める（図７参照）。この比率ｋを輝度の不均一性を補正する、いわば予備補正量として記憶しておく。
そして、実際に表示すべき画像データが入力されたときには、次のステップ３０で、この予備補正量ｋと、前述のステップ１４で算出した、ディスプレイに対する複数グレイレベル入力における輝度特性のデータから、最終的な補正画像データ、すなわち、ディスプレイの不均一性を補正した、ディスプレイ上に表示される画像データを得る。
【００３３】
すなわち、例えば、グレイレベルｚ０  に対する輝度Ｌ０  を求め、ディスプレイの均一性の補正（×１／ｋ）を行った輝度Ｌ１  に対するグレイレベルｚ１  が、均一性が補正された画像データとなる。すなわち、
【数２】
2004364021.tif 000004
【数３】
2004364021.tif 000005
【数４】
2004364021.tif 000006
とすることにより、ディスプレイの不均一性の影響をキャンセルできる正しい画像データｚ１  を求めるというものである（図８参照）。
【００３４】
なお、上記説明では、説明を簡単にするために、均一性補正対象であるディスプレイの表示画面上のブロックマーカ単位での均一性補正を行う場合を説明したが、実際には、よりきめ細かい補正を行うためには、上記ブロックマーカ内の各画素位置毎に各種の補間等を行って、その位置におけるディスプレイ上に表示される補正した画像データを得ることが好ましい。
【００３５】
この際、図６の例では、垂直方向，水平方向にそれぞれ５本ずつの均一性データが得られることから、これを用いて２次元の均一性データに展開することも可能である。この場合には、線形補間であると階調が折れ曲がり、アーチファクト発生の原因となるので、スプライン補間等の２次元補間を行うようにすると、良好な結果が得られる。
【００３６】
また、本実施形態における補正を適用する場合には、オリジナルの画像データよりも多い階調表示機能が必要となることから、ディスプレイの階調分解能を、オリジナルの画像データの持つビット数よりも高くしておく必要がある。これについては、カラーディスプレイの３つのサブピクセルを利用して、各サブピクセルに画像データを分散することにより、画像の高階調化を測ってもよい。これにより、例えば、オリジナルの画像データが８ビット（２５６階調）の場合であれば、７５６階調（９．５ビット相当）の階調を表現することができる。
【００３７】
また、ディスプレイがＬＣＤである場合には、時分割駆動により単位時間当たりの表示期間を変えて階調を制御する、いわゆる時間変調による多階調表現方式を用いることも可能である。ここで、時間変調には、パルス幅階調制御（ＰＷＭ：Ｐｕｌｓｅ  Ｗｉｄｔｈ  Ｍｏｄｕｌａｔｉｏｎ  ）方式と、フレーム間引き階調制御（ＦＲＣ：Ｆｒａｍｅ  Ｒａｔｅ  Ｃｏｎｔｒｏｌ）方式とがある。
【００３８】
前者は、電圧印加の時間を階調レベル毎に変えることにより、液晶に、１フレーム内でライン毎に、階調データに合わせた時間だけオン／オフ波形を加えて、中間調を実現する方式、後者は、フレーム毎に階調データに合わせて電圧をオン／オフし、液晶の残像を応用して、中間調を実現する方式であり、いずれも、オフスクリーンメモリを用いて、多階調を表現する方式である。
【００３９】
例えば、表示周波数６０Ｈｚ、元のデータが８ビット階調であるとすると、以下のようになる。
ＰＷＭ方式においては、１５サイクルについては元のデータより１階調低い階調を表示するというように制御することによって、中間色を表現できる。１５サイクルごとにこのような階調変化をつけることにすれば、２８  ×４＝２１０、すなわち、ビット階調を表現することが可能になる。
【００４０】
また、ＦＲＣ方式においては、表示用メモリとオフスクリーンメモリの合わせて４面分のメモリを用意する。このうち、１面は元のデータより１階調低い階調を表示するとしてこれを６０分の１秒ごとに順番に表示させれば、中間色を表現できる。１面ごとにこのような階調変化をつけることにすれば、２８  ×４＝２１０、すなわち、ビット階調を表現することが可能になる。
【００４１】
ここでは、上述の、ＰＷＭ方式あるいはＦＲＣ方式のいずれを用いてもよい。なお、ＰＷＭ方式あるいはＦＲＣ方式については、例えば、本出願人の出願に係る特願２００２−３３２４５９号「画像転送装置」中の記載も参考にすることができる。
【００４２】
上記実施形態によれば、均一性補正対象であるディスプレイの表示画面上のブロックマーカ内の各画素位置毎に各種の補間等を行って、その位置における輝度のデータを求めて、これに基づいてディスプレイ上に表示される画像データの補正量を求めるようにしたので、よりきめ細かい補正を行うことが可能になるという効果が得られる。
【００４３】
なお、上記各実施形態は本発明の一例を示したものであり、本発明はこれらに限定されるべきものではなく、本発明の要旨を逸脱しない範囲内において適宜の変更または改良を行ってもよいことはいうまでもない。
【００４４】
例えば、上記各実施形態においては、ブロックマーカが、ディスプレイの表示画面の縦，横方向にそれぞれ５個設けられたテストパターンを用いたが、一般には、上記ブロックマーカは、表示画面の縦，横方向にそれぞれｍ個，ｎ個設定されており、かつ、ｍ≧５，ｎ≧５であることが好ましい。
【００４５】
一方、ブロックマーカを用いない実施態様もまた可能である。すなわち、補正のために選ばれる領域について、同一の画素値を持つ画像であれば何でもよく、例えば、一様画像でもよい。
【００４６】
また、上記実施形態においては、ディスプレイの均一性補正を行うための測定手段としてデジカメを用いた場合を説明したが、本発明に係るディスプレイの均一性補正方法においては、ここで用いる測定手段としては、デジタル・ビデオ・カメラを用いることができることはいうまでもない。
【００４７】
またさらに、前述の通り、本発明に係るディスプレイの均一性補正方法は、これを、コンピュータのプログラム制御により実行することが可能であり、本発明の技術的範囲はこのようなプログラムにも及ぶことはいうまでもない。
【００４８】
【発明の効果】
以上、詳細に説明したように、本発明によれば、種々の原因による、ディスプレイの輝度の変動を測定して、それに応じて適切な補正を行うようにしたディスプレイの均一性補正方法を実現できるという顕著な効果を奏するものである。
【図面の簡単な説明】
【図１】本発明に係るディスプレイの均一性補正方法における、事前準備作業の全体的な動作を示す動作フロー図である。
【図２】一実施形態における、デジカメを用いて行う、均一性補正対象であるディスプレイの測定操作を示す動作フロー図である。
【図３】露出を段階的に変化させた際の、デジカメの輝度に対する階調特性を示す図である。
【図４】デジカメの各画素の出力値の均一性測定のやり方の一例を示す説明図である。
【図５】均一光源（積分球）を撮影したデジカメのＣＣＤ中央部を示す図である。
【図６】ディスプレイの画面全体を５×５＝２５個の部分に分割するブロックマーカを有するテストチャートを、ディスプレイの表示画面上に表示した状況を示す図である。
【図７】図６に示したテストチャートを撮影した際の、デジカメ出力の一例を示す図であり、Ａ−Ａ’線上のブロックマーカでの特性を示す図である。
【図８】グレイレベルｚ０  に対応する輝度Ｌ０  から、補正後のグレイレベルｚ１  を求める手順を説明する図である。
【符号の説明】
１０〜１４，２０〜３０  動作ステップ
４０  デジカメ（ＤＳＣ）
４１  デジカメ筐体
４２  デジカメのＣＣＤ
４４  デジカメのレンズ系
４６  積分球（均一光源）
Ｇｉｊ  テストチャート上のブロックマーカ（ｉ＝１〜５，ｊ＝１〜５）
【図１】
2004364021.tif 000007
【図２】
2004364021.tif 000008
【図３】
2004364021.tif 000009
【図４】
2004364021.tif 000010
【図５】
2004364021.tif 000011
【図６】
2004364021.tif 000012
【図７】
2004364021.tif 000013
【図８】
2004364021.tif 000014